(57)【要約】      （修正有）【課題】ソーラーパネルを使った移動式の多目的自動ルーフを提供する。【解決手段】光電変換素子群パネル４を連結ロット５によってブラインド状に接続連結してソーラーパネル１を形成し、前記ソーラーパネル１を垂直に左右別々に動かす主サーボモーター２と左右別々に開くための軸となるソレノイドピン３とを備えた多目的自動ルーフとし、前記多目的自動ルーフを、南中高度をプロッティングした太陽情報プロッターの情報によって、太陽を追尾させながら発電稼働させる。【選択図】図４
2014154871.tif 000002
【特許請求の範囲】
【請求項１】
太陽光を受けられる車両やあらゆる物の屋根に太陽エネルギー回収のソーラーパネルを取付けて最大限の発電稼働をさせ専用蓄電装置に蓄電するために、本ソーラーパネルを立体的に自由自在に角度が調整できるように第一ＣＰＵを設置して、それに色々なセンサーを装備して、アクチェータとして電気式サーボ機構の主サーボモーターを本ソーラーパネルのベースフレームの四辺に装着して、それにより本ソーラーパネルが左右独立したヒンジで自在に開くようにソレノイドピンを前記主サーボモーターの駆動部に備えたことで、太陽に向けて左右別に垂直に開くことができて本ソーラーパネルにおける光電変換素子群をブラインド状に複数枚に分けたことからなる光電変換素子群パネルを連結ロッドで接続連係させたうえ、副サーボモーターを前記連結ロットの中心部分に装着して、その角度も前後に１８０度可動して太陽に垂直に可働できるようにして、方位センサーとＧＰＳを併置することで緯度経度による現在の位置情報に加えて、春分、夏至、秋分、冬至の日などカレンダー情報などで割り出せる太陽の南中高度と、日の出日の入り時間の年間スケジュール情報のデーターなどをプロッティングした太陽情報記録プロッターを前記第一ＣＰＵに併置し演算制御して、前記電気式サーボ機構とインターフェイスさせることで、太陽の年間における南中高度が、いつでもどこでも割り出せる新たなセンサーとして、太陽南中高度追尾センサーを設置し、ボルテージセンサーを併置することで本ソーラーパネルの発電電圧を検出しながらフィードバック制御することで前記電気式サーボ機構は本ソーラーパネルおよび前記光電変換素子群パネルを、太陽に垂直に向けて可動して発電稼働して、本ソーラーパネルの発電の出力線の途中に逆流防止と通電を遮断できる遮断弁付ダイオードを装着して前記ボルテージセンサーにより前記専用蓄電装置の電圧を検出しながら前記遮断弁付ダイオードにて前記出力線を接続したり遮断させることで、過充電しないように蓄電できるようにして、その電力を逆流防止のためダイオード２を介して、前記車両のバッテリーへ接続した場合、オルタネーターの負荷軽減によるエネルギー稼働率を向上させ前記専用蓄電装置により前記車両の室内で乗員が快適に過ごせるように、マイナスイオン発生器付の自動加湿器を併置して、雨天時には本ソーラーパネルと前記光電変換素子群パネルを格納するように雨滴検知センサーを併置して、車速センサーを併置することで前記車両が走行時には本ソーラーパネルと前記光電変換素子群パネルが格納された状態で発電稼働はできるようにして、加速度センサーを併置することで、風の強い日などの発電稼働時には本ソーラーパネルと前記光電変換素子群パネルを格納させ損壊を防止して、いたずら防止や安全確保のために、人感センサーと警笛も併置することで外部よりの侵入者が近づくと本ソーラーパネルと前記光電変換素子群パネルは格納され警笛を鳴らして知らせてくれ、前記太陽南中高度追尾センサーの信号に合わせて、北半球の日中の晴れであればどこにいても、本ソーラパネルの発電稼働を最良に出来て、南半球であっても前記情報記録プロッターを南半球に合わせてプロッティングすることで同様に最良の発電稼働ができる、地球上における太陽光の受けられる場所であれば、あらゆる屋根において最良の発電稼働をすることのできるソーラーパネルとしたことを特徴とする、太陽エネルギー回収による多目的自動ルーフ。
【請求項２】
防火用及び災害時などにおける水資源確保のサバイバル用に、家屋の敷地内などに雨だれを溜め、電磁弁を介して水道水も溜められ、屋根に請求項１の太陽エネルギー回収による多目的自動ルーフを装備した貯水槽に第二ＣＰＵを併置して、家庭用１００Ｖ電源によりトリクル充電できる自動充電器を備え、請求項２で使用する電装品の電力量をジュール熱換算してバッテリーキャパシティを決定した貯水槽用蓄電装置を設置して、請求項１のソーラーパネルによる発電電流は請求項１の第一ＣＰＵより前記第二ＣＰＵを介して前記貯水槽用蓄電装置に蓄電されるようにして、貯水槽用雨滴検知センサーを装着することで前記第二ＣＰＵは請求項１の第一ＣＰＵを介して雨天時には請求項１のソーラーパネルは格納されているが、請求項１の光電変換素子群パネルは９０度の垂直になるようにして、該貯水槽に貯水できるようにインターフェイスして水位センサーを併置することで該貯水槽の水位がある程度下がれば前記電磁弁にて水道水で該貯水槽を満水にすることができ、前記家屋の火災が起こりやすい台所の窓ガラスの上などの特定場所に自動で開閉する自動扉付換気扇が装備され、バネの力で室内側に開くようにしている煙炎排出ゲートを設置して、同場所の室内側天井に煙センサーと熱式火災感知器と前記煙炎排出ゲートを普段閉じるようにしている電動ソレノイドピンを設置して、その電源用として家庭用１００Ｖ電源の自動トリクル充電器と小型ソーラーを備えたブラインド式ソーラー充電バッテリーを、前記煙炎排出ゲートの外側上部に備え、前記小型ソーラーが太陽光を感知すると前記ブラインド式ソーラー充電バッテリーのブラインド式ソーラーが降りてきて、発電稼働をすることで、前記ブラインド式ソーラー充電バッテリーは充電され、太陽光のない時は前記ブラインド式ソーラーは収納されて、前記自動トリクル充電器で充電するようにしたうえで、前記煙センサーが火災の煙を感知したら前記自動扉付換気扇はその自動扉を開いて、その換気扇により煙を排出するようにして、前記熱式火災感知器が災を感知したら前記電動ソレノイドピンが作動して前記煙炎排出ゲートが開くようにしたうえで、該貯水槽に空中超音波センサーと、場合により手動の放水も出来る放水ノズルを備えた伝導消火用ポンプを併置して、その下に移動できる台座を備え、その台座の移動のためのレールも備え、前記放水ノズルもアクチェーターで上下の角度を変えられ、前記特定場所に向けた前記台座の位置と前記放水ノズルの角度を予め前記第二ＣＰＵに記憶させ前記空中超音波センサーに備わっている送波器と受波器により前記特定場所に超音波ビームを発射しておいて、火災により前記煙炎排出ゲートが開いたら、それを感知した前記伝導消火ポンプは前記特定場所に向け前記レールにより移動して、前記放水ノズルがそこへ放水できるようにしておいて、湯沸かし器が装備されている魔法瓶形状にしている防災用保温タンクを併置することで、災害などで水道が停止した場合に該貯水層の水を前記湯沸かし器で沸騰させ、前記防災用保温タンクに貯蔵させ飲料水の確保をして、前記貯水槽用蓄電装置を電源としたＤＣ／ＡＣインバータ付きの電気コンセントも併置して、炊飯器などが使えるようにして、温水式温風ヒーターを併置して前記防災用保温タンクの温水で稼働させることで、冬季などに火災や災害などで家屋が損壊した場合などにサバイバルテントなどにダクトを介して暖房用の温風を送風できる、防火用および災害時の水資源確保のサバイバル用としたことを特徴とする請求項１の太陽エネルギー回収による多目的自動ルーフの貯水槽。
【請求項３】
藻類の培養のために、透明強化ガラスの密閉ケース水槽の上部に請求項１のソーラーパネルを装着して発電稼働させながら、培養用の第三ＣＰＵの併置と、家庭用１００Ｖ電源の自動充電器を備えトリクル充電できるようにした請求項３で使用する電装品の電力量をジュール熱換算してバッテリーキャパシティを決定した、培養水用蓄電装置を併置して、請求項１のソーラーパネルによる発電電流は請求項１の第一ＣＰＵを介して前記第三ＣＰＵより前記培養水用蓄電装置に蓄電されるようにして、インターフェイスさせ制御するセンサーとして前記密封ケース水槽に光量を測定する照度センサーと、酸素発生型光合成の藻類の培養の状態を量り知る為の酸素センサー、培養水の水温を計る水温センサー、培養水の量を一定にするための培養水位センサー、湿度を測定する湿度センサーを装着して、前記密閉ケース水槽の下部に魔法瓶形状になっている培養保温水タンクを設置して、培養水用電動ポンプから培養水用湯沸かし器を介して培養水をそこに注入して、前記培養水用電動ポンプの圧力と水温感知弁の逆止弁を備えているリターンパイプにより前記培養保温水タンクの中を培養水が循環して撹拌するようにして培養水が適温になり前記第三ＣＰＵの指示により前期水温感知弁から前記密閉ケース水槽に培養水が注入できるようにして、前記密閉ケース水槽内にＣＯ２ボンベとＣＯ２インジェクターを設置して、加湿器を内蔵している培養ファンヒーターで前記培養保温水タンクの温水により暖めた湿度の高い温風を出せるようにして、培養水を満遍なく撹拌できるスライド式撹拌機を前記密閉ケース水槽内に設置して、そこにオゾン発生器の併置により、前記密閉ケース水槽内を雑菌排除出来るようにして、培養水位センサーの感知で前記水温感知弁にて培養水を適量を注入できるようにして、生長した藻類を排出できる排出ローラ及び排水ドレンを設置して、培養の状態を前記酸素センサーの感知と前記湿度センサーの信号からによりフィードバック制御にて、光合成による培養に一番適するようにするため、前記温水式培養ファンヒーターによる加湿された温風と前記ＣＯ２インジェクターよりＣＯ２を前記密閉ケース水槽内に注入して、さらに第三ＣＰＵは藻類の培養のために、前記密閉ケース水槽の内部に差し込む太陽の光量を前記照度センサーの感知により、培養の状態を前記酸素センサーの感知によりフィードバック制御することで、請求項１のソーラーパネルと請求項１の光電変換素子群パネルを微調整させる指示を請求項１の第一ＣＰＵにインターフェイスさせることで、太陽の照度をこもれびの様な状態から最大照度までを前記密閉ケース水槽内に作れるようにして、培養を最良の状態で促進させることで、生長した藻類を前記排出ローラの可動により残留水と共に排出ドレンより排出させる、夜間照明用ＬＥＤを装備したことで夜間にも培養工程を促せるようにしていることを特徴とする請求項１の太陽エネルギー回収による多目的自動ルーフの培養水槽。
【発明の詳細な説明】
【発明の詳細な説明】
【技術分野】
【０００１】本発明は、太陽エネルギー回収による多目的自動ルーフに関するものである。
【背景技術】
【０００２】  請求項１に関して、化石燃料を燃焼させず、太陽光で発電することはコスト低減と、地球温暖化防止対策的に有利で、これを車両に搭載することを本出願人は車両の屋根などに装着するソーラーパネルを接続することで提案した。特許文献１参照。車両のリアの部分に設置することで太陽光発電を進化させ、遮光による安全運転効果も見込めるソーラーパネルを車両に接続する提案もしている。特許文献２参照。自然エネルギーの普及を目指して、メガソーラとして広大な土地を利用して角度が一定に固定されたソーラー発電が急速に普及を始めている。また、四国新聞平成２５年２月５日付の記事に大気汚染の濃霧が中国全土四分の一を包み肺がんを増加させると指摘されるＰＭ２．５が自動車や工場、石炭火力発電、家庭の暖房などの排出源により発生、その濃霧はその後も発生して広範囲に及んでおり日本への飛来して、自動車で働く人や、家屋内で生活する人にまで、大きな悪影響を及ぼすことも懸念されている。世界各国で現存する原子力発電所において、我が国で起こった大津波災害などでメルトダウンにより放射能が放出された場合の防御方法が懸念されている。【０００３】  請求項２に関して、昭和初期には多く存在した木材家屋にあたりまえに存在していた消火用の水桶や防火水槽などが、近年の住宅は外壁が防炎加工され高気密住宅として新建材の出現や、消火栓、消火器の普及などで、水桶や防火水槽もほとんど無くなってしまい、現在の防火体制では、消防車や訓練を受けている消防隊員の到着を待つことで初期消火に対応しにくく、その時に渋滞などの道路事情や地震などによる通行できなくなった公道などがあれば、お手上げとなることも懸念される。また水道網や飲料の自動販売機の普及などによりライフラインとなる飲料水もあまり家屋等で保管しなくなって大災害による水道の寸断や停電による自動販売機が使用できなくなる想定はしていないような現状である。【０００４】  請求項３に関して、二十一世紀初頭に驚異的に高騰した原油の代替燃料として、穀物によるバイオ燃料のＥ３Ｅ１０エタノール燃料、ブラジルなどの２０％１００％エタノール燃料が研究開発され実用化され普及して、最近では非穀物系の藻類バイオ燃料の開発が盛んにおこなわれている。近年では非穀物系の藻類である、特に石油の元祖になったと考えられる藻類の中でも、光合成酸素発生型でオイル生産をおこなうボトリオコッカスその他などは、次世代の開発促進するエネルギーとして如何に効率よく生産するかが世界的に大きな課題の提案事項となっている。
【特許文献１】実用新案２５３０３８３号
【特許文献２】特願２００６−２９３２８７
【発明の開示】
【発明が解決しようとする課題】
【０００５】  しかし請求項１に関して、昭和後期より始まったソーラーパネルはショートしない徳性は備えているものの熱に弱く水に弱いなどの強度的な弱点のまま家屋の屋根などに置かれてその弱点により配線が焦げるなど、発電稼働が低下ないしは停止するものがあった。また、車両においても直接屋根に貼り付けることで夏季の熱などで発電能力低下や冬季の太陽光の集光不足による発電能力低下があり不十分であり、リヤガラスに設置する方法でも太陽の南中高度に対応できず不十分であった。また、メガソーラーなどでせっかく大量のソーラー発電をするのに、一定方向にだけ固定しているのでは十分な発電もあまり期待出来ず、いかにして効率よく太陽に向けて最大限の発電効率を発揮させるかが大きな課題であった。中国からの大気汚染は偏西風により以前から黄砂などの汚染で日本へ影響をあたえ花粉症などの症状に加え、今回のＰＭ２．５は肺がんを増加させると指摘されていて、我が国は如何にして快適な生活居住空間を設けるかが、次世代に向けての急務である。特に、地球温暖化で夏季の灼熱の車内では、密閉状態でクーラーを使用するしかなく、昨今の希薄すぎるエンジンにより、大幅なパワーダウンにより夏季は大幅な燃費低下を招き、車内においてその乾きすぎて喉に悪い、汚い空気により人体に悪影響を与えている。昭和期の冷戦時代に考案実用されていた核シェルターの現代版の考案の必要性も大いにある。【０００６】  しかし請求項２に関して、いくら火に強い新建材の外壁でも消火器や消防署に頼った火災対応では実際の火災現場においては早期消火などにまったく手も足も出ないような場面も大変多くあり、また一人暮らしの老世帯や大人の留守がちの子供世帯の事故による火災や、また震災などで家屋が予期せぬ火災を起こしたり、道路家屋が震災などで崩壊した場合も消防車はその現場に往けないため消火活動できないとか、渋滞などで現場到着が遅れることで、実際に起こる火災では現代の新建材多用による高気密住宅がゆえに室内などは蒸し焼きのように焼けつくされ、大量に発生する有毒な煙と炎により悲惨な結果も多く、巨大地震や巨大津波などの災害時の火災などにも現在の防火体制では不十分である。また水道網や飲料の自動販売機の普及などにより、ライフラインとなる飲料水もあまり家屋等で保管しなくなり、巨大地震や巨大津波などの大災害時には水道は寸断され停電などで、自動販売機も作動しなくなった場合では、ライフラインの確保は不十分である。【０００７】しかし請求項３に関して、穀物によるバイオ燃料に掛かる巨大なコストや広大な場所に加え、人類の食料が高騰してしまうことが大きな問題となり、穀物は代替燃料には不向きであるとの意向が示される傾向にあり、藻類の培養による製油もコストが掛かりすぎるとの批判も多く、光合成酸素発生型で油生産に適しているボトリオコッカスは培養のためには満遍なく光合成させるため撹拌し続ける必要がありエネルギーを消費しすぎることでコストが掛かりすぎることや、雑菌耐性や生長した藻類から油を取り出す工夫も必要であり、藻類の培養を活発にする最適な培養装置を開発する必要性が次世代に向けた課題である。
【課題を解決するための手段】
【０００８】  請求項１の本発明は、このような従来の構成が有していた問題点を解決しようとするものであり地球の自転、公転を利用して太陽の南中高度を割り出す新たなセンサーとして、ＧＰＳと方位センサーにより現在位置を特定した上で、春分、夏至、秋分、冬至の日などカレンダー情報と緯度経度により日の出日の入り時間の年間スケジュール情報のデーターなどから割り出せる太陽の南中高度をプロッティングした太陽情報記録プロッターから、演算制御して太陽の現在位置を追尾できる太陽南中高度追尾センサーを使い電動サーボ機構とインターフェイスする第一ＣＰＵで、ソーラーパネルと光電変換素子群パネルを、主サーボモーターと副サーボモーターの働きにより太陽光の受けられる場所ならどこにいても常時太陽に垂直に向けることで発電能力を最大限に引き出して発電稼働させ、雨滴検知センサーにより自動で収納することができて、車速センサーを備えることで走行中には電気サーボ機構は作動せず発電稼働はすることで、快適な安全走行ができて、加速度センサーにて自然災害時に本ソーラーパネルが収納され損壊しないように保護をして、人感センサーにて人体に対して安全配慮も出来るようにして、警笛にて防犯もできるようにして、専用蓄電装置に蓄えることの余裕で太陽エネルギーを最大限に有意義に使えるようにしたうえで、エネルギー稼働率をアップして車両などのパワーダウンや燃費ロスを防ぎながらコストの掛からないマイナスイオンを発生する自動加湿器も併置したことにより、密閉された室内において人体の排出するＣＯ２に対して酸素、水素の化合物である水を超微粒子にして加湿されることで減少する室内の酸素を補い、マイナスイオンにて室内の不快指数を下げて、ＰＭ２．５などの微小粒子状の有害物質をその水の超微粒子で包んで落とし排除することで夏季には清涼感と冬季には暖かさを人体に与え、快適に生活できるように構成されている。【０００９】  請求項２の本発明は、このような従来の構成が有していた問題点を解決しようとするものであり、家屋の一番火災の起こりやすい特定場所に煙炎排出ゲートを設置して、独立した満充電されているブラインド式ソーラー充電バッテリー電源で、家屋の停電にも問題なく作動する煙センサー、熱式火災感知器で誤動作のないように、まず煙センサーの働きで自動扉付換気扇により有毒な煙を排除して、なおかつ火災の場合、一番先に煙炎にさらされ高温となる、煙炎の出口である前記自動扉付換気扇近くに備えられた熱式火災感知器が炎を捉えることで、電動ソレノイドピンは即座に可動して煙炎排出ゲートを開くことで、超音波ビームを発射して待機している空中超音波センサーは即座に感知することで、伝導消火用ポンプを稼働することで、そこに向けて放水ノズルが放水して、火災の延焼を抑える早期消火をすることが出来、有毒な煙や炎から人命を守ることが出来る。その貯水槽蓄電装置も、屋外に設置することで火災の影響は受けず安心できる防火用の必須装置として、湯沸かし器を使うことで飲料水の確保や炊飯などができる水資源確保のサバイバル用として、ライフラインの確保の必需装置であり、常に火災の見張り番として活躍して、災害時などの人命に係わる事態にも、いち早く人体を保護して��れるように構成されている。【００１０】請求項３の本発明は、このような従来の構成が有していた問題点を解決しようとするものであり、四季のある我が国においては、藻類の培養には大掛かりなコストと場所が必要であるが、常に満遍なく撹拌する必要がある培養と、簡単ではない生長した藻類よりオイルを抽出することに対して、それぞれの工程を分業で実施することを提案して、本発明の培養水槽により設置場所を選ばずに、大掛かりとした場合にコストが掛かりすぎることが予想される事に対して、コンパクトな培養を行い、そのエネルギー源は太陽光エネルギーを使うことでコストを大幅に下げて、培養水用湯沸かし器により一定の温度に調整して培養水用電動ポンプの圧力で培養保温水タンク内にてリターンパイプを介して撹拌しながら、加湿器が内蔵されている培養ファンヒーターにより湿度センサー水温センサーや、オゾン発生器の雑菌排除により、密封ケース水槽の中に、夏季の池のような環境を作ることで、コストを掛けずに満遍なく、スライド式撹拌機で撹拌し続け、藻類の特徴である酸素発生型光合成による酸素の増加を、酸素センサーが感知することで効率よく藻類を生長させ、藻類の培養徳性を考慮することで太陽光を直射だけでなく照度センサーで程よい木漏れ日のような日ざしを作ることで、そこは夏季の池のような環境でＣＯ２も注入したりすることで、培養の最良な状態にすることや太陽エネルギー回収によるソーラーパネルによる蓄電と、充電不足部分を自動充電器で補うようにした貯水槽用総合蓄電装置によりコストが掛からないようにした次世代のエネルギーの藻類の生産が出来るように構成されている。そのことを例えていえば、昭和中期ごろまで機械化されていなかった農業において、各農家では原動力として牛を使い田畑を耕し、酪農によりその牛からしぼった牛乳を、村単位にて乳業会社に毎朝出荷していたように、本発明の太陽エネルギー回収による多目的自動ルーフの培養水槽を各家庭に設置して、生長した藻類を町単位で出荷してオイル抽出および精油を一手に引き受けておこなうオイル精油機構を作ることでこの課題は解決でき、我が国も産油国となることが出来る。
【発明の効果】
【００１１】  上述の通り請求項１の本発明の、太陽エネルギー回収による多目的自動ルーフは車両に設置した場合にはどこに駐車したとしても、空に太陽がある限りでは最適な発電稼働をおこない車両のオルタネーター負荷を軽減させることで、特に夏季などにはエンジン出力が外気温度によりおおきく低下したうえ、クーラーロスによりまた同様に大きく低下して、大幅な燃費低下を招き、夏季の通常走行で出力低下の過大な悪影響を及ぼすような現状において本発明のソーラーパネルはクーラーを使う時に良好な発電稼働をおこなうことで、前記のような悪影響には至らなく、汚染された外気から遮断した室内において電力の余裕により装着された自動加湿器により快適に過ごすことが出来、冬季でもキャンピングカーの車内などでも前記電力の余裕による快適なカーライフが出来ることを特徴としている。【００１２】  請求項１の本発明のソーラーパネルで駐車時の発電稼働中でも加速度センサー、人感センサーにより本発明のソーラーパネルを収納することで、問題が起こらないようにして同様に雨滴検知センサーの働きで雨天には収納して、不意に走行させた場合でも車速センサーの働きにより収納することのできるソーラーパネルとしている。また、スポーティカーに設置した場合には、本発明のソーラーパネルを構成している光電変換素子群パネルを垂直に立てて、各光電変換パネルの連結ロットの中間に当たる部分を短縮させるアクチェーターを追加することで、前期光電変換素子群パネルはそのブラインド状を前後に収納した形状となりオープンサンルーフとすることができて室内において快適性は向上できる。【００１３】  請求項１の本発明のソーラーパネルを広大な土地に設置しているメガソーラーに採用した場合、従来のものより発電効率はあがり、加速度センサーにより台風や強風、突風などに収納されることで損壊は免れて、更には請求項２の貯水槽や、請求項３の密封ケース水槽などのシステムを併置することで、そのソーラー発電による利用度、貢献度は増して、より多く世の中に貢献できる。【００１４】  上述の通り請求項２の本発明の、太陽エネルギー回収による多目的自動ルーフの貯水槽は、水道水と雨水により水位センサーの働きで貯水槽はいつも満水状態になっており火災や自然災害の緊急時に即座に対応できる水源の確保が出来、雨水を溜めることを主体としているので経済的である。請求項１の人感センサーを備えていることで、子供などに対する事故防止効果をもたらし、前記人感センサーにて留守の場合も見張りをしてくれる頼もしい効果を備えている。【００１５】請求項２の本発明は、上述の通り火災を感知した煙センサーは直ちに自動扉付換気扇を稼働させることで屋内に発生する有毒な煙を即座に排出し新鮮な空気の確保をすることで、人体を保護して、火災の煙炎が排出される自動扉付換気扇に集中することで、そこが一番先に高温になり、同一場所に設置された熱式火災感知器の反応もすばやくなることで、それにて作動する電動ソレノイドピンにより煙炎排出ゲートも早く開くことで、伝導消火ポンプは早期消火できる。煙炎排出ゲートに備えているブラインド式ソーラー充電バッテリーは、家庭用１００Ｖ電源で自動トリクル充電器にて充電できるように���ていることで、太陽光が感知できない場所に煙炎排出ゲートを設置した場合でも稼働できるようにしている。煙炎排出ゲートをビルに多数設置する場合、伝導消火ポンプの台座およびレールを立体的に水平にビルを駆け上がるようにして、空中超音波センサーの超音波ビームも周波数を変えることで複数に増やせて、伝導消火ポンプの数も増やすことで各階にて自動扉付換気扇により煙などから人体を保護した上、煙炎排出ゲートに放水することで早期消火できる。【００１６】請求項２の本発明は、上述の通り煙炎排出ゲートを窓の上部に設置することでブラインド式ソーラー充電バッテリーのブラインドは、自動の日よけになり屋内の快適さは増して、その電源を屋内の電源と独立させ普段は１００Ｖ自動充電も加えて満充電にすることで、停電時や火災による停電時でも、煙センサーおよび熱式火災感知器と、自動扉付換気扇や電動ソレノイドピンは稼働を続けることができ、貯水槽も伝導消火ポンプも貯水槽用蓄電装置によ、屋外の別電源とすることで、火災の影響は受けずに消火活動および人命救助を続けて行える。【００１７】  上述の通り請求項３の本発明の、太陽エネルギー回収による多目的自動ルーフの培養水槽は、密封ケース水槽に透明強化ガラスを使うことで、藻類の培養に最適とされる木漏れ日のような太陽光を第三ＣＰＵや照度センサーにより請求項１のソーラーパネルを可動することで作れ、ステンレスなどによく発生するアオカビ等は、発生しないようにできて、コンパクトな構造により場所をあまりとらないようにでき、大量に培養させたことによるコスト効率の悪さを防ぎ、ＣＯ２など藻類の培養生長の好む夏季の池のような状態を密封ケース水槽内に酸素センサー、照度センサーで作ることで、培養の速度や生長した品質も最良状態にできる。【００１８】  上述の通り、本発明の請求項１および請求項２、請求項３などをそれぞれの用途に合わせて家屋の屋根やビル屋上などに設置した場合、請求項１では、太陽南中高度追尾センサーにより非常に発電稼働率の高いソーラーパネルと出来て、屋内においても専用蓄電装置を利用することで省電力にできることより経済的で自動加湿器で空気のきれいな快適な空間に出来る。【００１９】  請求項２については都会などで屋外に本発明の貯水槽を設置できない場合も、家屋の屋根やビルの屋上に設置することで、ソーラーパネルと貯水槽による断熱効果か期待でき夏季におけるエアコンの稼働率も大幅に抑えることができて、冬季にも同様な断熱効果に加えて、寒冷地などにおいては、湯沸かし器や温水式温風ヒーターにより屋根に積もった雪に、温水を流して落とすとか屋根の雪を溶かすことも可能であるうえ、ビルの屋上から伝導消火ポンプが即座に降りてきて消火活動することや場合により手動でも消火できて、煙炎排出ゲートにより、煙による生命の脅威を軽減させ、安全に避難をすることが出来る。【００２０】  請求項３については、屋根やビルの屋上に設置することで、前記の通り断熱効果に加えて、密閉ケース水槽より培養された藻類より油を搾り出すシュレッダー装置、搾り機等を追加することでその下部に、ディーゼル発電機などを設置した場合、勿論採取した油のセタン価を測定のうえ添加剤などでセタン価を調整した��水分なども排除した上で燃料としての徳性を満たした上で、非常に安価な輸送のコストも掛からない燃料として使うことで出来る。請求項２の貯水槽用蓄電装置と請求項３培養水用蓄電装置については、各電装品のジュール熱換算よりバッテリーキャパシティを決める必要があるが、太陽の出ない時に数日程度持つよう創めるとよい。
【発明を実施する為の最良の形態】
以下、本発明の実施形態を図１、図２、図３、図４に、図５、図６、図７、図８に基づいて説明する。
【００２１】  図１において請求項１の１はソーラーパネル１である。２は１を垂直に左右別々に動させる主サーボモーター２である。３は１を左右別々に開くための軸となるソレノイドピン３である。４は１の光電変換素子群をブラインド状にした光電変換素子群パネル４である。５は４を接続連係させる連結ロット５である。６は４を前後に１８０度可動させる副サーボモーター６である。７は現在位置の方位を測定する方位センサー７である。８は現在位置の緯度と経度を知らせるＧＰＳ８である。９は方位センサー７とＧＰＳ８の情報より春分、夏至、秋分，冬至の太陽の南中高度と日の出日の入り時間を、方位と現在位置と季節により変化していく北半球の太陽南中高度のデーターを記録した太陽情報記録プロッター９である。１０は請求項１のコンピューターの第一ＣＰＵ１０である。
【００２２】  １１は太陽情報プロッター９のデーターにより第一ＣＰＵ１０にインターフェイスさせる太陽南中高度追尾センサー１１である。１２は電圧測定データーを第一ＣＰＵ１０にインターフェイスさせるボルテージセンサー１２である。１３はソーラーパネル１よりの発電電流を溜めるようにしているの専用蓄電装置１４への逆流と過充電を防止する遮断弁付ダイオード１３である。１６は専用蓄電装置１４の電力を車両へ接続した場合車両バッテリー１５の逆流するのを防止するダイオード２  １６である。１７は雨を感知したらソーラーパネル１と光電変換素子群パネル４を格納するように指示する雨滴検知センサー１７である。
【００２３】  １８は車両が移動したことを感知してソーラーパネル１と光電変換素子群パネル４を発電稼働しながら収納させる指示を出す車速センサー１８である。１９はソーラーパネル１が振動などを感知するとソーラーパネル１と光電変換素子群パネル４を収納させる指示を出す加速度センサー１９である。２０はソーラーパネル１に人が近づくと１ソーラーパネル１と光電変換素子群パネル４を格納する指示を出す人感センサー２０である。２１は人感センサー２０に連動して警笛を鳴らす警笛２１である。２２は専用蓄電装置１４の電力で稼働する自動加湿器２２である。
以下上記請求項１の図１、図２、図３、図４、図５の構成の動作の説明をする。
【００２４】  太陽系の地球は天の北極から見て太陽を中心とした左回りの軌道により１太陽年（１年）公転して地球の自転軸を中心として１平均太陽日（１日）自転している。地球の自転軸は赤道面を基準として直角方向になり上を北半球（北緯）下を南半球（南緯）イギリスのグリニッジ天文台の本初子午線を基準に、東（東経）と西（西経）とに定義付けられ、公転面に対して自転軸は、２３，３８度傾いているので、太陽から地球を見たとした場合、春分、秋分の日は、太陽に対して自転軸が平行になることで、１日の日の出、日の入時間は均等になるが、夏至の場合自転軸が太陽側に傾くことで太陽から地球を見たとした場合、地球の北極圏は丸見えとなり、北半球側から太陽を見ると南中高度は高く見えることになり、１日の日の出、日の入時間は長くなり、冬至の場合は自転軸が太陽の反対側へ傾くことで太陽から地球を見たとした場合、南極圏は丸見えとなり北半球側より太陽を見ると、南中高度は低く見えることになり、１日の日の出日の入時間は短くなる。
【００２５】日本国における標準時間の象徴である東経１３５度、緯度３４，３８度の明石市立天文科学館において、３月２０日春分の日の、日の出、日の入時間は６時４分から１８時１２分で、６月２１日の夏至は４時４７分から１９時１７分、９月２３日の秋分の日は５時４８分から１７時５７分で、１２月２２日の冬至は７時３分から１６時５３分となり、春分、秋分の太陽の南中高度は５５，６２度、夏至の南中高度は７９度で、冬至における南中高度は３２，２４度となり、前期時間と南中高度にて太陽光は照射されている。
【００２６】  上述の通り、北半球に置けるあらゆる場所の太陽の南中高度をプロッティングした太陽情報プロッター９の情報により、太陽南中高度追尾センサー１１は南中高度を割り出し、ソーラーパネル１の主サーボモーター２と、光電変換素子群パネル４の副サーボモーター６は発電された電圧をボルテージセンサー１２より第一ＣＰＵ１０がインターフェイスさせフィードバック制御により太陽に垂直になるように向けることで最良の発電稼働を開始して、時間の進み具合で太陽が西に移動することを太陽南中高度追尾センサー１１は太陽情報プロッター９の情報により追尾することを第一ＣＰＵ１０にインターフェイスすることで主サーボモーター２と副サーボモーター６を再調整させ発電稼働を日没まで続ける。
【００２７】  ソーラーパネル１にて発電稼働された電力は遮断弁付ダイオード１３を介して、専用蓄電装置１４の電圧をボルテージセンサー１２で検出しながら蓄電して、過大電圧になると遮断弁付ダイオード１３に第一ＣＰＵは１０インターフェイスすることで出力線を遮断して、過充電を防止する。日没などでソーラーパネル１の発電稼働が停止したことをボルテージセンサー１２が感知した場合は、遮断弁付ダイオード１３により、光電変換素子群パネル４より専用蓄電装置１４の電圧が逆流して放電してしまうことを防ぎ、第一ＣＰＵ１０はソーラーパネル１と光電変換素子群パネル４を格納させる。ソーラーパネル１を車両に設置した場合には、ダイオード２  １６を介して車両バッテリー１５に接続することで、車両のオルタネーター負荷は軽減されエネルギー稼働率を高め、専用蓄電装置１４の電圧が低下した場合でも車両バッテリーの電圧の逆流は防止できる。車両が発進したら車速センサー１８の感知により第一ＣＰＵ１０はソーラーパネル１と光電変換素子群パネル４を格納はさせるが発電稼働は続けるようにインターフェイスする。
【００２８】  加速度センサー１９を備えることでソーラーパネル１が稼働している時に、強風が出たり何かがぶつかったり、地震などの揺れを感知した場合などに第一ＣＰＵ１０は、インターフェイスにてソーラーパネル１と光電変換素子群パネル４を格納してソーラーパネル１の損壊を防止する。人感センサー２０により、ソーラーパネル１が稼働している時に、人が近づくと第一ＣＰＵ１０はソーラーパネル１と光電変換素子群パネル４を格納して、いたずらを防止するとともに子供などへの事故防止の配慮もしながら、警笛２１も作動する。ソーラーパネル１の装備された室内において、専用蓄電装置１４にてマイナスイオン発生器が装備されている自動加湿器２２を可動させることで、加湿する水は酸素を含んでいる上、ミストシャワー効果とマイナスイオンにて、滝のほとりのような環境を作れることで、夏季は超微粒子状の水分で気化熱が奪われることにより、エアコンの体感温度を下げる効果も発揮することでエアコンの夏季における設定温度は高めでも充分に涼しく感じられたり、冬季には超微粒子状のふんわりとした水分で、極端な冷え込みが薄れるような体感も感じられることで、人体に快適な空間を与える。
【００２９】  以下、本発明の実施形態を上記請求項２の図１、図６、図７に基づいて説明する。
【００３０】  図１において請求項２の、アは雨水、水道水を溜める貯水槽（ア）である。イは貯水槽（ア）に水道水を注入したり止めたりする電磁弁（イ）である。ウは請求項２専用コンピューターである第二ＣＰＵ（ウ）である。エは貯水槽（ア）の水位を測定する水位センサー（エ）である。オは雨天時には第二ＣＰＵ（ウ）にインターフェイスして請求項１の第一ＣＰＵ１０を介して請求項１のソーラーパネル１は格納して請求項１の光電変換素子群パネル４を９０度の垂直に立てて雨水を貯水槽（ア）に溜めるようにインターフェイスさせる貯水槽用雨滴検知センサー（オ）である。カは伝導消火用ポンプ（ク）に設備された空中超音波センサー（カ）であり、セの煙炎排出ゲート（セ）の可動を超音波ビームにより検出する。キは伝導消火ポンプ（ク）に装着されている自動と手動でも消火活動できる放水ノズル（キ）である。ケは伝導消火ポンプ（ク）を消火活動に移動するための台座およびレール（ケ）である。コは火災を感知する熱式火災感知器（コ）であり、ソの電動ソレノイドピン（ソ）を作動させる。シは煙を感知する煙センサー（シ）であり、スは自動扉付換気扇（ス）であり煙センサー（シ）の感知にて自動扉を開けて換気扇を可動させる。サはブラインド式ソーラー充電バッテリー（サ）であり、熱式火災感知器（コ）、煙センサー（シ）、自動扉付換気扇（ス）、電動ソレノイドピン（ソ）の電源である。タは防災用保温タンク（タ）であり、チの湯沸かし器（チ）で沸かしたお湯を保管する。ツはＤＣ／ＡＣインバータ付の電気コンセント（ツ）であり、テは温水式温風ヒーター（テ）であり防災用保温タンク（タ）の温水により温風を出す。トは小型ソーラー（ト）でありブラインド式ソーラー充電バッテリー（サ）に装着されているブラインドを太陽光を感知して可動させるためにその上部にある。ナはダクト（ナ）であり温水式温風ヒーター（テ）の温風を導くためにある。二は電磁弁（イ）を介して貯水槽（ア）に水を送る水道（二）である。ヌは貯水槽用蓄電装置（ヌ）であり、請求項１のソーラーパネル１の発電稼働した電力を蓄える。
以下、上記請求項２の図１、図６、図７の構成の動作の説明をする。
【００３１】  貯水槽（ア）は、水位センサー（エ）の感知により電磁弁（イ）を介して水道（二）と、雨天を感知した貯水槽用雨滴センサー（オ）の信号で第二ＣＰＵ（ウ）より請求項１の第一ＣＰＵ１０によりインターフェイスされ垂直に開いた請求項１の光電変換素子群パネル４より雨水を溜め貯水槽（ア）を満水にして、併置され台座およびレール（ケ）にて自在に移動できるようにしている伝導消火ポンプ（ク）に放水ノズル（キ）と空中超音波センサー（カ）により家屋の火災の起こりそうな特定場所に、超音波ビームを発射している。家屋の前記特定場所に設置され電動ソレノイドピン（ソ）で閉じている自動扉付換気
【００３２】扇（ス）を備えている煙炎排出ゲート（セ）の屋内側天井に設置された煙センサー（シ）と熱式火災感知器（コ）により煙センサー（シ）が火災の煙を感知したら自動扉付換気扇（ス）はその自動扉を開いて換気扇により炎と煙を排出して、その炎を熱式火災感知器（コ）が感知することで電動ソレノイドピン（ソ）が作動することで煙炎排出ゲート（セ）が開かれ、空中超音波センサー（カ）の超音波ビームによりそれを感知することで第二ＣＰＵ（ウ）に予め前記特定場所と放水角度を記憶させておいた伝導消火ポンプ（ク）が台座およびレール（ケ）で移動してきて放水ノズル（キ）により消火活動を開始する。前記特定場所にある煙炎排出ゲート（セ）には小型ソーラー（ト）を上部に備えたブラインド式ソーラー充電バッテリー（サ）は、屋内に備わっている電装品である熱式火災感知器（コ）、煙センサー（シ）、自動扉付換気扇（ス）、電動ソレノイドピン（ソ）の独立した電源で、火災による家屋の停電にも対応してあり、その内蔵されたソーラーによる充電が出来ない場所でも家庭用１００Ｖの自動トリクル充電器が備わっていて、いつもトリクル充電（微電流充電）されているので満充電で、いざというときに備えている。
【００３３】上記のいざというときには、請求項１のソーラーパネル１の発電稼働と、家庭用１００Ｖ電源による自動充電器（トリクル充電）により満充電状態の貯水槽用蓄電装置（ヌ）の電力で貯水槽（ア）の貯水を湯沸かし器（チ）で沸かして水道が停止した場合の水源確保としたうえで、防災用保温タンク（タ）に蓄えた温水で、冬季には温水式温風ヒーター（テ）を、非難している仮設住宅やサバイバルテントなどにダクト（ナ）を介して暖房用の温風を送ることで、生命の維持装置として使えて、貯水槽用蓄電装置（ヌ）の電力でＤＣ／ＡＣインバータ付の電気コンセント（ツ）により家庭用の炊飯器などが使え、請求項１の自動加湿器も備えることで、生活の必須、必需ライフラインとしての確保が出来る。
以下、本発明の実施形態を上記請求項３の図１、図８に基づいて説明する。
【００３４】  Ａは藻類を培養生長させる密閉ケース水槽Ａである。Ｂは藻類の酸素発生光合成の培養成長の過程における酸素の量を検出することで培養の状態を測り知るための酸素センサーＢである。Ｃは密閉ケース水槽Ａ内の培養水温を感知する水温センサーＣである。Ｄは密閉ケース水槽Ａ内の水位の高さを一定にする信号を出す培養水位センサーＤである。Ｅは密閉ケース水槽内の光量を検出する照度センサーＥである。Ｆは密閉ケース水槽Ａ内の湿度を検出する湿度センサーである。Ｇは請求項３の専用コンピューターである第三ＣＰＵＧである。Ｊは密閉ケース水槽Ａで培養する藻類のために夏季の池のような水温にするための培養水用湯沸かし器Ｊである。
【００３５】  Ｉはその培養水が夏季の池のような状態になるまで、培養水用電動ポンプＲの圧力で培養水用湯沸かし器Ｊを介してすこしづつ温度を上げながら循環させることで培養水を撹拌させる培養保温水タンクＩであり、Ｈは培養保温水タンクＩで培養水の温度が適温になり、第三ＣＰＵＧの指示により、密閉ケース水槽Ａに培養水を送る水温感知弁Ｈである。Ｋは藻類の培養のために密閉ケース水槽Ａ内にＣＯ２を送り込むためのＣＯ２ボンベＫでありＬはそれを第三ＣＰＵＧの指示により司る遮断装置であるＣＯ２インジェクターＬである。Ｍは密閉ケース水槽Ａの内部を雑菌排除させるためのオゾン発生器Ｍである。Ｎは夜間でも続けて培養できるように密閉ケース水槽Ａに差し込む日差しを遮らない様に設置された夜間照明用ＬＥＤＮである。Ｏは培養保水タンクＩの水温により、加湿器を内蔵することで温度と湿度を整えた温風を密閉ケース水槽Ａ内に送り込むことが出来る培養ファンヒーターＯである。
【００３６】  Ｐは密閉ケース水槽Ａ内の培養水を満遍なく光合成させるために左右にスライドしながら撹拌し続けるようにしている、スライド式撹拌機Ｐである。Ｑは密閉ケース水槽Ａ内で培養生長した藻類を排出させる排出ローラーおよび排出ドレンＱである。Ｓは藻類の原料が入った培養水Ｓの注入口である。Ｔは培養水用電動ポンプＲの圧力により培養水用湯沸かし器Ｊを経て、培養保温水タンクＩで培養水の温度が上がるまで循環させ撹拌しつづけるためのリターンパイプＴである。Ｕは第三ＣＰＵの指示により請求項１の専用蓄電装置１４の電力を第一ＣＰＵ１０を介して充電させる、培養水用蓄電装置Ｕであり、１００Ｖ電源で、常時トリクル充電（微電流充電）をする自動充電器を備えている。
以下、上記請求項３の図１、図８の構成の動作の説明をする。
【００３７】藻類の原料である培養水Ｓが培養水用電動ポンプＲの上部より注入され、その原料が破壊されないように、第三ＣＰＵ  Ｇのインターフェイスにて、なめらかでしなやかな流れを作る極太パイプの配管より培養水用湯沸かし器Ｊを介して夏季の夏のような水温に緩やかになるように温度をあげながら培養保温水タンクＩを撹拌しながら循環して、オゾン発生器Ｍが密閉ケース水槽Ａ内をオゾンいっぱいにして雑菌排除しながら、湿度センサーＦによる湿度を検知しながら培養ファンヒーターＯは、内蔵された加湿器より加湿しながら培養保温水タンクＩの温度による加温された温風を密閉ケース水槽Ａに吹き込み、第三ＣＰＵ  Ｇの指示により水温感知弁Ｈが開き、適温になった培養水は密閉ケース水槽Ａに培養水位センサーの指示水位まで注入され、請求項１の第一ＣＰＵ１０を介してソーラーパネル１と光電変換素子群パネル４は太陽に垂直になり発電稼働を開始することで密閉ケース水槽Ａ内の藻類は光合成による培養を開始して第三ＣＰＵ  Ｇはスライド式撹拌機Ｐを満遍なく左右に移動させながら撹拌させＣＯ２ボンベＫを介して、ＣＯ２インジェクターＬよりＣＯ２を噴射させて、酸素センサーＢの酸素濃度を検出しながら生長するまで培養を続けるようにしている。第三ＣＰＵ  Ｇは請求項１の第一ＣＰＵ１０を介してソーラーパネル１と光電変換素子群パネル４を微調整して、密閉ケース水槽Ａ内の照度センサーＥによる光量と酸素センサーＢの酸素の増え具合により、木漏れ日のような状態や最大照度の内からフィードバック制御にて一番最適な状態の微調整をおこなうようにして、生長した藻類を排出ローラーおよび排出ドレンＱにより排出させるようにしている。
【図面の簡単な説明】
【図１】本発明のシステムの全体内容を示すブロック図
【図２】本発明の請求項１のソーラーパネルの平面図
【図３】本発明の請求項１のソーラーパネルの縦方向よりの断面図
【図４】本発明の請求項１のソーラーパネルの横方向からの断面図
【図５】本発明の請求項１のソーラーパネルを車両に搭載例の立体図
【図６】本発明の請求項２の立体構成図
【図７】本発明の請求項２の煙炎排出ゲートの断面図
【図８】本発明の請求項３の断面図
【符号の説明】１，ソーラーパネル
２，主サーボモーター
３，ソレノイドピン
４，光電変換素子群パネル
５，連結ロット
６，副サーボモーター
７，方位センサー
８，ＧＰＳ
９，太陽情報記録プロッター
１０，第一ＣＰＵ
１１，太陽南中高度追尾センサー
１２，ボルテージセンサー
１３，遮断弁付ダイオード
１４，専用蓄電装置
１５，車両バッテリー
１６，ダイオード２
１７，雨滴検知センサー
１８，車速センサー
１９，加速度センサー
２０，人感センサー
２１，警笛
２２，自動加湿器
ア．貯水槽
イ．電磁弁
ウ．第二ＣＰＵ
エ．水位センサー
オ．貯水槽用雨滴検知センサー
カ．空中超音波センサー
キ．放水ノズル
ク．伝導消火用ポンプ
ケ．台座およびレール
コ．熱式火災感知器
サ．ブラインド式ソーラー充電バッテリー
シ．煙センサー
ス．自動扉付換気扇
セ．煙炎排出ゲート
ソ．電動ソレノイドピン
タ．防災用保温タンク
チ．湯沸かし器
ツ．電気コンセント
テ．温水式温風ヒーター
ト．小型ソーラー
ナ．ダクト
ニ．水道
ヌ．貯水槽専用蓄電装置
Ａ．密閉ケース水槽
Ｂ．酸素センサー
Ｃ．水温センサー
Ｄ．培養水位センサー
Ｅ．照度センサー
Ｆ．湿度センサー
Ｇ．第三ＣＰＵ
Ｈ．水温感知弁
Ｉ．培養保温水タンク
Ｊ．培養水用湯沸かし器
Ｋ．ＣＯ２ボンベ
Ｌ．ＣＯ２インジェクター
Ｍ．オゾン発生器
Ｎ．夜間照明用ＬＥＤ
Ｏ．培養ファンヒーター
Ｐ．スライド式撹拌機
Ｑ．排出ローラおよび排出ドレン
Ｒ．培養水用電動ポンプ
Ｓ．培養水
Ｔ．リターンパイプ
Ｕ．培養水用専用蓄電装置
【図１】
2014154871.tif 000003
【図２】
2014154871.tif 000004
【図３】
2014154871.tif 000005
【図４】
2014154871.tif 000006
【図５】
2014154871.tif 000007
【図６】
2014154871.tif 000008
【図７】
2014154871.tif 000009
【図８】
2014154871.tif 000010
【手続補正書】
【提出日】平成26年2月18日(2014.2.18)
【手続補正１】
【補正対象書類名】特許請求の範囲
【補正対象項目名】全文
【補正方法】変更
【補正の内容】
【特許請求の範囲】
【請求項１】
ソーラーパネルの光電変換素子群を自在に太陽へ垂直に向け太陽光エネルギーをいつでもどこでも最大限に蓄電する為に、本ソーラーパネルが左右独立したヒンジで開くように、交互にヒンジを使うためのソレノイドピンが備わっている電気式サーボ機構の主サーボモーターを該ヒンジに設置して、該光電変換素子群をブラインド状に複数枚に分けたことからなる光電変換素子群パネルに副サーボモーターと連結ロットを設置して、各センサー類を介して本ソーラーパネルを可動制御させる第一ＣＰＵと専用蓄電装置で構成され、該主サーボモーターと該ソレノイドピンの可動で本ソーラーパネルは左右別に垂直可動して、該副サーボモーターと該連結ロットにて該光電変換素子群パネルを前後に垂直に可動出来るようにして、方位センサーとＧＰＳで、あらゆる現在地の方位と緯度経度並びに、四季のカレンダー情報や、日の出日の入時間の年間スケジュール情報から太陽の南中高度を割出し収集してプロッティングした、太陽情報記録プロッターを使う太陽南中高度追尾センサーを設置し、ボルテージセンサーの併置により、該第一ＣＰＵは本ソーラーパネルの発電電圧を検出しながらフィードバック制御により該電気サーボ機構を可動させることで、本ソーラーパネルが最高電圧で発電稼働して該専用蓄電装置に蓄電するようにして、車両などのバッテリーに接続した場合は、該車両の発電機の負荷を軽減させるエネルギー回収装置となり、該専用蓄電装置によりライフライン用の各電装品が使え、本ソーラーパネルの可動が不必要な場合は各センサーを介して該第一ＣＰＵより該電気サーボ機構をリセットさせ格納して警笛で防犯装置として使える、地球上における太陽光の受けられる場所であれば自在に移動して、最良の発電稼働をするソーラーパネルとしたことを特徴とする、太陽エネルギー回収による多目的自動ルーフ。
【請求項２】
貯水槽の屋根に請求項１の太陽エネルギー回収による多目的自動ルーフを設置して、貯水槽用の各センサー類と伝導消火用ポンプ、煙炎排出ゲート、防災用保温タンク、貯水槽専用蓄電装置、貯水槽用ライフライン等の各電装品設置や制御用の第二ＣＰＵで構成され、水位センサーと貯水槽用雨滴検知センサーから該第二ＣＰＵを介して雨天時には請求項１の光電変換素子群パネルが請求項１の副サーボモーターと連結ロットにて９０度の垂直になり雨水を貯水槽に溜め電磁弁を介して水道水をそこへ注水して満水になるようにして、家屋の窓上部等に煙センサーで作動する自動扉付換気扇を備える該煙炎排出ゲートを設置して、放水ノズルを備える該伝導消火用ポンプを本貯水槽に併置して、それが該煙炎排出ゲートまで移動できるように台座と移動用のレールを設置して、該放水ノズルの角度と、該煙炎排出ゲートの特定場所を予め該第二ＣＰＵに記憶させ、空中超音波センサーの感知によりそこへ放水出来るようにして、そこの室内側天井に熱式火災感知器と煙センサーと電動ソレノイドピンを設置して、それの電源用として太陽光を感知する小型ソーラーが備わった、ブラインド式ソーラー充電バッテリーを、該煙炎排出ゲートの外側上部に備え、該小型ソーラーが太陽光を感知すると該ブラインド式ソーラーが下降することで該充電バッテリーを充電をして、家庭電源でも自動充電できるようにして、該煙センサーが感知したら該自動扉付換気扇が作動して、次に該熱式火災感知器が炎を感知したら該電動ソレノイドピンの作動により該煙炎排出ゲートが開き、該伝導消化ポンプにより放水するようにして、湯沸かし器が装備されている魔法瓶形状にしている該防災用保温タンクの併置により、災害などで電気水道が停止した場合に、該貯水槽専用蓄電装置で電力の確保と、貯水槽用ライフラインの各電装品を用いて、該防災用保温タンクに貯蔵するようにしている、防火用や災害時の水資源および電源を確保ができることを特徴とする、請求項１の太陽エネルギー回収による多目的自動ルーフの貯水槽。
【請求項３】
藻類の培養用の密閉ケース水槽の上部に請求項１の太陽エネルギー回収の多目的自動ルーフを設置して、培養用各センサー類と魔法瓶形状になっている培養保温水タンクと藻類の培養用の各電装品と培養水用蓄電装置と第三ＣＰＵで構成され、培養水用電動ポンプより培養水を該培養保温水タンク注入して、注入された培養水は該培養保温水タンクの中を循環して撹拌して、該密封ケース水槽に注入できるようにして、そこへＣＯ２ボンベおよびＣＯ２インジェクターを設置して、オゾン発生器と夜間照明用ＬＥＤも設置して、該培養保温水タンクの温水により温風が出るようにしている加湿器を内蔵している培養ファンヒーターと該密封ケース水槽の培養水を満遍なく撹拌できるスライド式撹拌機を設置して、該オゾン発生器にて該密閉ケース水槽内を雑菌排除して、そこを夏季の池のような状態にすることで生長した藻類を、排出できる排出ローラ及び排水ドレンを設置して光合成による培養をしながら、酸素発生型光合成により増える酸素量を酸素センサーの感知により、該第三ＣＰＵは藻類の培養のために該密閉ケースの内部に差し込むの太陽の照度を、フィードバック制御にて請求項１のソーラーパネルと請求項１の光電変換素子群パネルを微調整させることで太陽の照度をこもれびの様な状態から最大照度まで、その開き具合で作れるように請求項１の第一ＣＰＵにインターフェイスして培養を促進させ、生長したものを該排出ローラの可動により残留水と共に排出ドレンより排出させて、該夜間照明用ＬＥＤを装備したことで夜間にも本培養工程を促せるようにしていることを特徴とする請求項１の太陽エネルギー回収による多目的自動ルーフの培養水槽。
【手続補正書】
【提出日】平成26年5月12日(2014.5.12)
【手続補正１】
【補正対象書類名】明細書
【補正対象項目名】０００８
【補正方法】変更
【補正の内容】
【０００８】  請求項１の本発明は、このような従来の構成が有していた問題点を解決しようとするものであり地球の自転、公転を利用して太陽の南中高度を割り出す新たなセンサーとして、ＧＰＳと方位センサーにより現在位置を特定した上で、春分、夏至、秋分、冬至の日などカレンダー情報と緯度経度により日の出日の入り時間の年間スケジュール情報のデーターなどから割り出せる太陽の南中高度をプロッティングした太陽情報記録プロッターから、演算制御して太陽の現在位置を追尾できる太陽南中高度追尾センサーを使い電動サーボ機構とインターフェイスする第一ＣＰＵで、ソーラーパネルと光電変換素子群パネルを、主サーボモーターと副サーボモーターの働きにより太陽光の受けられる場所ならどこにいても常時太陽に垂直に向けることで発電能力を最大限に引き出して発電稼働させ、雨滴検知センサーにより自動で収納することができて、車速センサーを備えることで走行中には電気サーボ機構は作動せず発電稼働はすることで、快適な安全走行ができて、加速度センサーにて自然災害時に本ソーラーパネルが収納され損壊しないように保護をして、人感センサーにて人体に対して安全配慮も出来るようにして、警笛にて防犯もできるようにして、専用蓄電装置に蓄えることの余裕で太陽エネルギーを最大限に有意義に使えるようにしたうえで、エネルギー稼働率をアップして車両などのパワーダウンや燃費ロスを防ぎながらコストの掛からない該専用蓄電装置により、ライフライン用の各電装品の中の一つであるマイナスイオンを発生する自動加湿器も併置したことにより、密閉された室内において人体の排出するＣＯ２に対して酸素、水素の化合物である水を超微粒子にして加湿されることで減少する室内の酸素を補い、マイナスイオンにて室内の不快指数を下げて、ＰＭ２．５などの微小粒子状の有害物質をその水の超微粒子で包んで落とし排除することで夏季には清涼感と冬季には暖かさを人体に与え、快適に生活できるように構成されている。
【手続補正２】
【補正対象書類名】明細書
【補正対象項目名】０００９
【補正方法】変更
【補正の内容】
【０００９】  請求項２の本発明は、このような従来の構成が有していた問題点を解決しようとするものであり、家屋の一番火災の起こりやすい特定場所に煙炎排出ゲートを設置して、独立した満充電されているブラインド式ソーラー充電バッテリー電源で、家屋の停電にも問題なく作動する煙センサー、熱式火災感知器で誤動作のないように、まず煙センサーの働きで自動扉付換気扇により有毒な煙を排除して、なおかつ火災の場合、一番先に煙炎にさらされ高温となる、煙炎の出口である前記自動扉付換気扇近くに備えられた熱式火災感知器が炎を捉えることで、電動ソレノイドピンは即座に可動して煙炎排出ゲートを開くことで、超音波ビームを発射して待機している空中超音波センサーは即座に感知することで、伝導消火用ポンプを稼働することで、そこに向けて放水ノズルが放水して、火災の延焼を抑える早期消火をすることが出来、有毒な煙や炎から人命を守ることが出来る。その貯水槽蓄電装置も、屋外に設置することで火災の影響は受けず安心できる防火用の必須装置として、貯水用ライフラインの各電装品として、湯沸かし器を使うことで飲料水の確保や炊飯などができる水資源確保のサバイバル用として、ライフラインの確保の必需装置であり、常に火災の見張り番として活躍して、災害時などの人命に係わる事態にも、いち早く人体を保護してくれるように構成されている。
【手続補正３】
【補正対象書類名】明細書
【補正対象項目名】００１６
【補正方法】変更
【補正の内容】
【００１６】請求項２の本発明は、上述の通り煙炎排出ゲートを窓の上部に設置することでブラインド式ソーラー充電バッテリーのブラインドは、自動の日よけになり屋内の快適さは増して、その電源を屋内の電源と独立させ普段は１００Ｖ自動充電も加えて満充電にすることで、停電時や火災による停電時でも、煙センサーおよび熱式火災感知器と、自動扉付換気扇や電動ソレノイドピンは稼働を続けることができ、貯水槽も伝導消火ポンプも貯水槽用蓄電装置により、屋外の別電源とすることで、火災の影響は受けずに消火活動および人命救助を続けて行える。
【手続補正４】
【補正対象書類名】明細書
【補正対象項目名】００２０
【補正方法】変更
【補正の内容】
【００２０】  請求項３については、屋根やビルの屋上に設置することで、前記の通り断熱効果に加えて、密閉ケース水槽より培養された藻類より油を搾り出すシュレッダー装置、搾り機等を追加することでその下部に、ディーゼル発電機などを設置した場合、勿論採取した油のセタン価を測定のうえ添加剤などでセタン価を調整したり水分なども排除した上で燃料としての徳性を満たした上で、非常に安価な輸送のコストも掛からない燃料として使うことが出来る。請求項２の貯水槽用蓄電装置と請求項３培養水用蓄電装置については、各電装品のジュール熱換算よりバッテリーキャパシティを決める必要があるが、太陽の出ない時に数日程度持つよう創めるとよい。
【手続補正５】
【補正対象書類名】明細書
【補正対象項目名】００２１
【補正方法】変更
【補正の内容】
【００２１】  図１において請求項１の１はソーラーパネル１である。２は１を垂直に左右別々に作動させる主サーボモーター２である。３は１を左右別々に開くための軸となるソレノイドピン３である。４は１の光電変換素子群をブラインド状にした光電変換素子群パネル４である。５は４を接続連係させる連結ロット５である。６は４を前後に１８０度可動させる副サーボモーター６である。７は現在位置の方位を測定する方位センサー７である。８は現在位置の緯度と経度を知らせるＧＰＳ８である。９は方位センサー７とＧＰＳ８の情報より春分、夏至、秋分，冬至の太陽の南中高度と日の出日の入り時間を、方位と現在位置と季節により変化していく北半球の太陽南中高度のデーターを記録した太陽情報記録プロッター９である。１０は請求項１のコンピューターの第一ＣＰＵ１０である。
【手続補正６】
【補正対象書類名】明細書
【補正対象項目名】００３７
【補正方法】変更
【補正の内容】
【００３７】藻類の原料である培養水Ｓが培養水用電動ポンプＲの上部より注入され、その原料が破壊されないように、第三ＣＰＵ  Ｇのインターフェイスにて、なめらかでしなやかな流れを作る極太パイプの配管より培養水用湯沸かし器Ｊを介して夏季の池のような水温に緩やかになるように温度をあげながら培養保温水タンクＩを撹拌しながら循環して、オゾン発生器Ｍが密閉ケース水槽Ａ内をオゾンいっぱいにして雑菌排除しながら、湿度センサーＦによる湿度を検知しながら培養ファンヒーターＯは、内蔵された加湿器より加湿しながら培養保温水タンクＩの温度による加温された温風を密閉ケース水槽Ａに吹き込み、第三ＣＰＵ  Ｇの指示により水温感知弁Ｈが開き、適温になった培養水は密閉ケース水槽Ａに培養水位センサーの指示水位まで注入され、請求項１の第一ＣＰＵ１０を介してソーラーパネル１と光電変換素子群パネル４は太陽に垂直になり発電稼働を開始することで密閉ケース水槽Ａ内の藻類は光合成による培養を開始して第三ＣＰＵ  Ｇはスライド式撹拌機Ｐを満遍なく左右に移動させながら撹拌させＣＯ２ボンベＫを介して、ＣＯ２インジェクターＬよりＣＯ２を噴射させて、酸素センサーＢの酸素濃度を検出しながら生長するまで培養を続けるようにしている。第三ＣＰＵ  Ｇは請求項１の第一ＣＰＵ１０を介してソーラーパネル１と光電変換素子群パネル４を微調整して、密閉ケース水槽Ａ内の照度センサーＥによる光量と酸素センサーＢの酸素の増え具合により、木漏れ日のような状態や最大照度の内からフィードバック制御にて一番最適な状態の微調整をおこなうようにして、生長した藻類を排出ローラーおよび排出ドレンＱにより排出させるようにしている。